(57)【要約】【課題】通常行われる天日による布団乾燥だけで、臭い，汚れ及び雑菌除去を通常の洗濯と同程度まで行うことができる、光触媒加工を施した側地からなる羽毛掛け布団を提供することに技術的課題がある。【解決手段】掛け布団内部は、側表地２及び側裏地３に縫着された立体マチ４によって複数個の部屋５に分割され、この各部屋５に羽毛が充填される。側地には光触媒加工が施してあり、太陽光エネルギーにより臭い，汚れ及び雑菌を分解，除去できる。前記立体マチ４は、側表地２及び側裏地３に立体ノンキルト２２で接着されるのが望ましく、さらに前記羽毛は、防ダニ加工が施されているのが望ましい。【選択図】　図２
2004113352.tif 000002
【特許請求の範囲】
【請求項１】
側表地及び側裏地に縫着された立体マチからなる間仕切りによって、内部に複数個の部屋が設けられた側地と、各室内に充填された羽毛とで構成された羽毛掛け布団において、前記側表地及び側裏地に光触媒加工が施されていることを特徴とする、光触媒加工を施した側地からなる羽毛掛け布団。
【請求項２】
前記立体マチが側表地及び側裏地に立体ノンキルト加工により接着されていることを特徴とする、請求項１記載の光触媒加工を施した側地からなる羽毛掛け布団。
【請求項３】
前記羽毛に防ダニ加工が施されていることを特徴とする、請求項１又は２記載の光触媒加工を施した側地からなる羽毛掛け布団。
【発明の詳細な説明】
【０００１】
【発明の属する技術分野】
本発明は、太陽光エネルギーにより臭い，汚れ及び雑菌を分解，除去できる光触媒加工を施した側地からなる羽毛掛け布団に関するものである。
【０００２】
【従来の技術】
従来、洗濯可能な羽毛掛け布団として、図１の如く、側表地１２及び側裏地１３に縫着されたマチ布１４，１４・・・によって複数個の部屋１５，１５・・・が設けられた側地１７と、各部屋１５内に配置した羽毛入り中袋１８とで構成された羽毛掛け布団１１が知られている（例えば特許文献１参照）。この羽毛掛け布団は、羽毛入り中袋１８が部屋１５に挿入されているので、使用時に羽毛入り中袋が側地１７の内部で動くことが少なく、羽毛が充填された部分が偏って部分的に寒くなる不都合を生じづらい。そして側地１７が汚れた場合には、側地１７の開口部１６から、羽毛入り袋体１８を取り出して、側地１７だけを洗濯することができ、洗濯終了後、羽毛入り中袋１８を、開口部１６から挿入して再び羽毛掛け布団として使用することができる。そして、この羽毛掛け布団は、応用例として、開口部１６の形状をスリット状などに変更し、開閉可能な開閉口にすることも提案されている。（例えば特許文献１参照）
【０００３】
しかしながら、この羽毛掛け布団は、側表地に開口部又は開閉口が設けられているため、使用中に手足が開口部又は開閉口に引っ掛かるという欠点があった。また、開口部又は開閉口から、埃や塵などが入りやすく、不衛生であるという欠点があった。
【０００４】
このため、本発明者などは、側表地に開閉口を設けるのではなく、側地の内部に位置する立体マチからなる間仕切りに開閉口を設けることによって、上記欠点を解決した洗濯可能な羽毛掛け布団を提案した。（特許文献２参照）この掛け布団は、側表地及び側裏地に縫着された立体マチによって複数個の室が設けられた側地と、各室内に配置した羽毛などの詰め綿入り中袋とで構成され、この立体マチに中袋を出し入れしうる開閉口が設けられているというものである。
しかしながら、以上の二発明は、側地から詰め綿入り中袋を取り出さなければ、洗濯に供することができず、日常行われる洗濯において煩雑さを伴う欠点を残している。
【０００５】
【特許文献１】
特開平８−１０７８２０号公報（請求項１，〔００１４〕，図１及び図５）
【特許文献２】
特許第３１９２６５０号公報（請求項１，図２）
【０００６】
【発明が解決しようとする課題】
本発明は、この様な現状に鑑みて行われたものであり、通常行われる天日による布団乾燥だけで、臭い，汚れ及び雑菌除去を通常の洗濯と同程度まで行うことができる、光触媒加工を施した側地からなる羽毛掛け布団を提供することに技術的課題がある。
【０００７】
【課題を解決するための手段】
すなわち、請求項１に係る発明は、側表地及び側裏地に縫着された立体マチからなる間仕切りによって、内部に複数個の部屋が設けられた側地と、各室内に充填された羽毛とで構成された羽毛掛け布団において、前記側表地及び側裏地に光触媒加工が施されていることを特徴とする、光触媒加工を施した側地からなる羽毛掛け布団に関するものである。
【０００８】
また、請求項２に係る発明は、前記間仕切りが側表地及び側裏地に立体ノンキルト加工により接着されていることを特徴とする、請求項１記載の光触媒加工を施した側地からなる羽毛掛け布団に関するものである。
【０００９】
さらに、請求項３に係る発明は、前記羽毛に防ダニ加工が施されていることを特徴とする、請求項１又は２記載の光触媒加工を施した側地からなる羽毛掛け布団に関するものである。
【００１０】
【作用】
請求項１に係る発明においては、立体マチにより布団内部に複数個の部屋が設けられているため、布団はその厚みを保持し、かつ布団全体に渡って羽毛が片寄って位置することがなく、また側地に光触媒加工が施されているため、側地に付着した臭い，汚れ及び雑菌が天日の太陽光エネルギーで、通常の洗濯と同程度まで分解，除去できる作用を奏する。
【００１１】
請求項２に係る発明においては、立体マチが、ミシン縫いなどの縫製によって側表地及び側裏地に縫着されるのでなく、立体ノンキルト加工により接着されることで、ダニの侵入及び羽毛の噴き出しをより効果的に防ぐ作用を奏する。
【００１２】
請求項３に係る発明においては、羽毛に防ダニ加工が施されており、ダニが布団内部へ侵入するのを防ぎ、本発明の羽毛掛け布団をより清潔に使用できる作用を奏する。
【００１３】
また、請求項１〜３に係る各発明で用いられている羽毛は、その嵩高性が１６５ｍｍ以上のものであるのが望ましい。ここで、羽毛の嵩高性の値（ｍｍ）は、ＪＩＳ　Ｌ　１９０３の７．２　嵩高性の項に記載された方法によって、測定される値である。この方法を簡単に説明すると、内径２９０±１ｍｍの円筒に入れた、一定量（３０±０．１ｇ）の羽毛の嵩の高さをｍｍで測定するというものである。したがって、この値が大きいほど、羽毛に片寄りが生じにくいということである。すなわち、嵩高性の値が１６５ｍｍ未満であると、室内に充填された羽毛の片寄りが生じやすくなる。
羽毛は大別して、タンポポの綿毛のような形状をしたダウンと中央に羽軸が通っているフェザーとに分けられ、それらの重量比（ダウン：フェザー）が、９０：１０〜８０：２０になるよう混合して用いるのが望ましい。ダウンの比率が９０を超えると布団が嵩高になりすぎて、圧縮回復性及び身体へのフィット性が低下する。また８０未満では、嵩高不足で保温性や吸湿・発散性が低下し好ましくない。
【００１４】
【発明の実施の形態】
図２は、本発明の一例に係る光触媒加工を施した側地からなる羽毛掛け布団１の斜視図である。なお、本発明においては、側表地２及び側裏地３と、これらに縫着されている立体マチ４で構成されているものを側地と呼んでいる。
外見上は通常の掛け布団と何ら変わることはなく、側面には適度な幅を有する生地を用いてもよい。側表地２及び側裏地３の各表面には縫目２１があるが、これは側表地２及び側裏地３と立体マチ４とを縫着し、羽毛を充填するための部屋５を形成するためのもので、従来に見られる詰め綿を固定するために、側表地及び側裏地と詰め綿を一緒にキルティングしたものではない。側表地２及び側裏地３は織編物であり、組織並びに素材は限定されず、合成繊維，再生繊維または天然繊維のいずれを用いてもよく、長・短繊維のどちらでも使用してよい。またこれらの繊維を単独あるいは複数種混繊，合撚（交撚），混紡もしくは配列，交織，交編することに制限を受けない。ただし好ましくは洗濯による収縮率が低く、肌触りの良好な素材、例えば綿，アクリルあるいはそれらの混紡糸織物が望ましい。
また、製織編並びに仕上加工は公知の方法に準じて行えばよい。
【００１５】
羽毛掛け布団１の内部は、図３に示すように、側表地２及び側裏地３に縫着された立体マチ４によって複数個の部屋５に分割されている。なお、この各部屋５に羽毛が充填されるのであるが、図３では、この羽毛を省略している。立体マチ４は、各部屋５が四辺形などの一定の形状を持つように設けられている。たとえば、図２では、タテ方向に平行な２列の間仕切り列があり、一方、ヨコ方向に平行な３列の間仕切り列がある。したがって、タテ方向は３列に区切られており、ヨコ方向は４列に区切られているため、羽毛を充填する部屋は１２室となる。なお、このような構成に限られず、立体マチ列数及び部屋数は任意でよい。立体マチ４は、羽毛が外部へ飛散しなければよく、素材も側表地２や側裏地３の素材と同種であっても異種であってもよい。
【００１６】
さらに、本発明では側地に光触媒加工が施してあるのが肝要である。
光触媒加工に用いる光触媒物質には、セレン，ゲルマニウム，チタン，亜鉛，銅，アルミニウム，スズ，ガリウム，インジウム，リン，ケイ素，ヒ素，アンチモン，炭素，カドニウム，硫黄，テルル，ニッケル，鉄，コバルト，ストロンチウム，タングステン，クロム，バリウム，鉛などの酸化化合物が挙げられる。特に安全性や価格の面からニ酸化チタンを用いるのが好ましい。光触媒物質は有機物を分解する性質があり、繊維や樹脂を劣化させる危険があるため、シリカやケイ酸などの多孔質物質の粒子と混合して用いる。
光触媒物質を側地へ固着する方法としては、バインダー樹脂による方法，架橋剤による方法，イオン的に固着する方法などがあるが、加工容易性，操業性から勘案して、バインダー樹脂による方法を採用するのが望ましい。
バインダー樹脂による方法は、係る光触媒物質を前記多孔質物質と混合した後微粉砕し、ポリアクリル系樹脂，ポリウレタン系樹脂，ポリ塩化ビニル系樹脂，ポリビニルアルコール系樹脂，ポリ酢酸ビニル系樹脂などをバインダー樹脂として用い、これらの樹脂の水溶液，溶剤溶液，分散液へ前記の微粉末物質を分散させ、浸漬法などにより側地へ固着する。
【００１７】
架橋剤による方法は、上記光触媒物質と繊維とを化学的に結合反応させる方法であり、架橋剤としては、Ｎ−メチロール系架橋剤，エポキシ系架橋剤，イソシアネート系架橋剤などが使用できる。
【００１８】
さらに、イオン的に固着する方法としては、クロロヒドロキシＮ−メチルアンモニウムクロライド，エポキシＮ−メチルアンモニウムクロライドなどの第四級アンモニウム塩により繊維表面をカチオン化した後にアニオン系の上記光触媒物質を固着する方法、カチオン系樹脂による先処理を行った後にアニオン系の光触媒物質を固着する方法、酸化剤により繊維表面をアニオン化した後カチオン系の光触媒物質を固着する方法、アニオン系樹脂による先処理を行った後にカチオン系の光触媒物質を固着する方法などが挙げられる。
【００１９】
以上の方法にて、光触媒物質を側地へ固着するが、その固着量は、使用される物質の種類や目標とする性能にもよるが、側地重量に対し０．１〜１０重量％とするのが好ましい。
光触媒物質の作用は、繊維への固着方法によらず、係る光触媒物質が紫外線を吸収すると、光触媒物質内部の電子が励起され、側地表面へ飛び出す。結果、光触媒物質分子が陽イオン化され、側地表面近くに飛散した電子及びイオン化された光触媒物質に空気中の酸素と水が反応し、強力な酸化力を持つ活性酸素類が発生する。側地に付着している臭い，汚れ及び雑菌は、この活性酸素類により酸化分解され、分解・除去される。したがって、これら臭い，汚れ及び雑菌が炭素，水素，酸素のみからなる有機物の場合は、最終的に二酸化炭素と水までに分解される。
また、これらの一連の反応は一定のエネルギーを有する紫外線下で発生するもので、紫外線の照射が停止する、あるいはエネルギーが低下すれば、光触媒物質は電子を取り込み元の状態に帰すので、何度でも係る光触媒加工による作用を利用することができる。
【００２０】
一方、布団内部へのダニ侵入をより防ぐには、図４の如く、立体マチが側表地及び側裏地に立体ノンキルト２２で接着されていることが望ましい。これにより、縫い目からダニや埃が侵入する恐れがなく、さらに接着部から羽毛が噴き出すこともない。
【００２１】
さらに、本発明で用いる羽毛は、嵩高性が１６５ｍｍ以上であるのが望ましい。羽毛の嵩高性を１６５ｍｍ以上としたのは、前述したように、部屋５の中で羽毛が片寄りにくくしたものである。ただし嵩高性に富む羽毛は高価で、コストなどの関係上安価な羽毛を使用しなければならない場合は、部屋数を多くする他、例えば、各部屋５に充填された羽毛をキルティングで固定する、あるいは羽毛を詰めた袋を用意し、この袋の中の羽毛をキルティングで固定し、係る袋を各部屋５に設置するなどの手段を講じればよい。
また羽毛の好ましい態様として、防ダニ加工を施す。これによりダニの寄り付きや侵入を防ぎ、羽毛掛け布団をより清潔かつ快適に使用することができる。
【００２２】
以上詳説したように、本発明の羽毛掛け布団は、立体マチにより布団内部に複数個の部屋が設けられているため、布団はその厚みを保持し、かつ布団全体に渡って羽毛が片寄って位置することがない。また側地には光触媒加工が施されているため、側地に付着した臭い，汚れ及び悪臭が天日の太陽光エネルギーで、通常の洗濯と同程度まで分解，除去できる。したがって、しつこい汚れには光触媒加工による洗浄効果と通常洗濯を組み合せることで、対処すればよい。洗濯後乾燥を行う際は、ビーティングを行うと、充填されている羽毛の動きが大きくなり嵩高性が回復しやすくなるので好ましい。
【００２３】
【実施例】
次に本発明を実施例により具体的に説明する。側地の性能評価は、下記のように行った。
（１）消臭性能
容量５リットルのポリフッ化エチレン製の袋内に試料と所定の初期濃度（アンモニアの場合初期濃度９００ｐｐｍ、硫化水素の場合初期濃度１００ｐｐｍ）のガス６００ミリリットルを封入し、室内で３時間放置後、または屋外で太陽光を３時間照射した後に光明理化学工業株式会社製ガス検知管でガス濃度Ａを測定する。またブランクとして、別の容量５リットルのポリフッ化エチレン製袋内に所定の初期濃度（アンモニアの場合初期濃度９００ｐｐｍ、硫化水素の場合初期濃度１００ｐｐｍ）のガス６００ミリリットルのみを封入し、室内で３時間放置後、または屋外で太陽光を３時間照射した後に光明理化学工業株式会社製ガス検知管でガス濃度Ｂを測定する。これらのガス濃度から次式により脱臭率（％）を算出した。
脱臭率＝（（Ｂ−Ａ）／Ｂ）×１００
【００２４】
（２）抗菌性能
ＪＡＦＥＴの統一試験法に準じて、黄色ブドウ状球菌の静菌活性値を測定した。なお、菌培養時に紫外線ランプ（ナショナルブラックライトブルー：ＦＬ１５−ＢＬ−Ｂ，１ミリワット／ｃｍ２）を照射した。
【００２５】
（３）汚れ除去性能
醤油を２倍に希釈し、試料を常温で５分間浸漬（液／試料＝１０／１）した後、太陽光を３時間照射して、その後の汚れの状態を次の４段階で評価した。
１：汚れが落ちていない
２：汚れが少し落ちている
３：汚れがかなり落ちている
４：汚れが完全に落ちている
【００２６】
（実施例１）
経糸に綿８０番手単糸，緯糸にポリエステルマルチフィラメント５６ｄＴｅｘ２４ｆ，Ｓ３００Ｔ／Ｍを使用し、経密度２１０本／吋、緯密度１７０本／吋の５枚サテン織物をレピア織機にて製織し、得られた生機を精練，糊抜き，晒し，プリント加工の後、下記処方の処理液にパディングしマングルにてウェットピックアップ７０％で絞り、１１０℃×９０秒で乾燥し、テンターにて１６０℃×２分の熱処理を行ない、側地用生地を得た。
次いで、得られた側地用生地を側裏地及び高さ５ｃｍの立体マチに使用し、立体マチで分割された部屋が１２部屋で１部屋当りの大きさ５５ｃｍ（タテ）×５２ｃｍ（ヨコ）となるよう立体ノンキルト加工の方法で側裏地と立体マチを接着した。
次に、ポーランド産のダウン９０％，フェザー１０％で、品質は嵩高性１６５ｍｍ、清浄度（透視度）５００ｍｍ以上、酸素係数１．６ｍｇの防ダニ加工済み羽毛を前記各部屋に１１７ｇずつ充填した。なお、清浄度とは、羽毛を一定量の蒸留水で洗浄し、その蒸留水の透明度（ｍｍ）を測定したもので、酸素係数とは、羽毛の残留有機物を検出するもので、有機物を酸化するのに必要な過マンガン酸カリウムの重量（ｍｇ）を測定したものである。
さらに、側表地として側裏地と同じ生地を用い、立体ノンキルト加工の方法で立体マチ及び側地端縁同士を接着し、本発明の光触媒加工を施した側地からなる羽毛掛け布団を得た。
【００２７】
得られた掛け布団をベッドで使用したところ、寝返りをして掛け布団がベッドから垂れ下がっても、内部の羽毛が各部屋内で片寄ることがなかった。また、布団の衿元の汚れ・臭いが目立ち始めた時点で天日干ししたところ、汚れが分解し、臭いも除去されているのが確認できた。
【００２８】
＜処方＞
・ライオナイトＰＣ５４１Ｓ　　　３０ｇ／リットル
（一方社油脂工業株式会社製光触媒：アナターゼ型酸化チタン）
・ＮＫバインダーＡ１２　　　　　３０ｇ／リットル
（新中村化学株式会社製アクリルバインダー）
【００２９】
（比較例１）
実施例１で用いた処方での処理を省略する以外は実施例１と同様にして比較例１を得た。
なお、実施例１と比較例１でそれぞれ用いた側地の性能評価結果を表１に示す。ただし、比較例１の側地はＪＩＳ　Ｌ　０８４４（Ｃ法）に準じて洗濯した後、太陽光照射を省き性能評価を行った。
【００３０】
【表１】
2004113352.tif 000003
表１から明らかなように、光触媒加工を施した実施例１は、太陽光を照射するだけで、通常の洗濯と同程度の効果を奏するのがわかる。
【００３１】
【発明の効果】
以上の説明から明らかなように、本発明に係る掛け布団は、側表地及び側裏地に縫着されて固定されている立体マチにより、布団内部に複数個の部屋が設けら、その中に羽毛が充填されているため、布団はその厚みを保持し、かつ布団全体に渡って羽毛が片寄って位置することがない。また側地に光触媒加工が施されているため、側地に付着した臭い，汚れ及び雑菌が天日の太陽光エネルギーで、通常の洗濯と同程度まで分解，除去できる。
したがって、しつこい汚れには光触媒加工による洗浄効果と通常洗濯を組み合せることで、より高い洗濯効果が期待できる。
さらに、好ましい態様として、羽毛に防ダニ加工が施すことで、ダニの布団内部への侵入を阻止でき、また立体マチが側表地及び側裏地へ、立体ノンキルト加工により接着されることで、ダニの侵入及び羽毛の噴き出しをより効果的に防ぐこともできる。
【図面の簡単な説明】
【図１】羽毛掛け布団の一従来例の断面図である。
【図２】本発明の一例に係る羽毛掛け布団の斜視図である。
【図３】図２に示した羽毛掛け布団の内部を表した斜視図である。
【図４】本発明の好ましい態様の一例を示した羽毛掛け布団の斜視図である。
【符号の説明】
１　　羽毛掛け布団
２　　側表地
３　　側裏地
４　　立体マチ
５　　部屋
２１　羽毛掛け布団側地と立体マチとの縫合部（縫目）
２２　立体ノンキルト
【図１】
2004113352.tif 000004
【図２】
2004113352.tif 000005
【図３】
2004113352.tif 000006
【図４】
2004113352.tif 000007